(57)【要約】      （修正有）【課題】フィルター装置を有する分量カプセルであって、安価に製造することができる分量カプセルを提供する。【解決手段】本発明は、飲料を生成するための分量カプセル１において、カプセル基部３および充填側を備えるカプセル本体２であって、粉末または液体飲料の元を収容するための空洞がカプセル基部と充填側との間に形成されている、カプセル本体と、飲料の元とカプセル基部との間に配置されたフィルター要素７と、を有しており、フィルター要素がカプセル基部の領域に配置された不織布から構成されている分量カプセルである。【選択図】図１
2019030707.tif 000002
【特許請求の範囲】
【請求項１】
飲料を生成するための分量カプセル（１）において、カプセル基部（３）および充填側（４）を有するカプセル本体（２）であって、粉末または液体飲料の元（１０１）を収容するための空洞（１００）が前記カプセル基部（３）と前記充填側（４）との間に形成されている、カプセル本体（２）と、前記飲料の元（１０１）と前記カプセル基部（３）との間に配置されたフィルター要素（７）と、を有しており、
前記フィルター要素（７）は、前記カプセル基部（３）の領域に配置された不織布であり、
前記不織布が細径プラスチック繊維から構成されていることを特徴とすることを特徴とする、分量カプセル。
【請求項２】
前記不織布は、細径ポリエステル繊維から作製された不織布材料からなっており、および／または前記不織布は、４０〜１００ｇ／ｍ２、好ましくは、６０〜８０ｇ／ｍ２、特に好ましくは、実質的に７０ｇ／ｍ２の質量／単位面積を有しており、および／または前記不織布は、０．２０〜０．８ｍｍ、好ましくは、０．２５〜０．３９ｍｍ、特に好ましくは、実質的に０．３２ｍｍの厚みを有しており、および／または前記不織布は、１００パスカルの圧力下における１０００〜３０００Ｌ（ｍ２ｓ）、好ましくは、１５００〜２５００Ｌ（ｍ２ｓ）、特に好ましくは、実質的に２０００Ｌ（ｍ２ｓ）の空気透過率を有していることを特徴とする、請求項１に記載の分量カプセル。
【請求項３】
前記フィルター要素（７）は、弾性的であり、少なくともその縁領域（７’）において、前記カプセル基部（３）の領域に配置されていることを特徴とする、請求項１に記載の分量カプセル。
【請求項４】
前記フィルター要素（７）は、前記カプセル基部に封止されており、特に超音波によって封止されており、好ましくは、引っ張られるようになっていることを特徴とする、請求項１に記載の分量カプセル。
【請求項５】
前記フィルター要素（７）は、前記空洞（１００）内に配置されており、前記充填側（４）の方を向いた前記カプセル基部（３）の側に位置していることを特徴とする、請求項１に記載の分量カプセル。
【請求項６】
前記フィルター要素（７）の直径は、前記カプセル基部（３）の直径よりも大きくなっていることを特徴とする、請求項１に記載の分量カプセル。
【請求項７】
前記フィルター要素（７）は、縁領域（７’）を有しており、前記縁領域（７’）は、実質的に前記充填側（４）の方向に突出しており、および／または前記充填側（４）の方向に屈曲していることを特徴とする、請求項１に記載の分量カプセル。
【請求項８】
前記縁領域（７’）は、前記カプセル本体（２）の側壁領域（１０２）に沿って少なくとも部分的に延在しており、前記側壁領域は、前記充填側（４）と前記カプセル基部（３）との間に延在していることを特徴とする、請求項７に記載の分量カプセル。
【請求項９】
前記フィルター要素（７）は、前記カプセル基部（３）を完全にまたは部分的にのみ覆っていることを特徴とする、請求項１に記載の分量カプセル。
【請求項１０】
前記フィルター要素（７）は、前記カプセル基部（３）に取り付けられており、前記フィルター要素（７）は、好ましくは、前記カプセル基部（３）に付着して取り付けられていることを特徴とする、請求項１に記載の分量カプセル。
【請求項１１】
前記フィルター要素（７）は、前記カプセル基部（３）の縁領域（３’）において、前記カプセル基部（３）に取り付けられており、および／または前記フィルター要素（７）は、前記フィルター要素（７）の縁領域（７’）において、前記側壁領域（１０２）に取り付けられていることを特徴とする、請求項１に記載の分量カプセル。
【請求項１２】
前記カプセル基部（３）は、前記充填側（４）と反対の方向に突起（２１）を有していることを特徴とする、請求項１に記載の分量カプセル。
【請求項１３】
前記カプセル基部（３）は、前記カプセル基部（３）が外部穿孔手段（１６）によって穿孔されたとき、前記フィルター要素（７）が穿孔されないように形成されていることを特徴とする、請求項１に記載の分量カプセル。
【請求項１４】
前記フィルター要素（７）は、前記カプセル基部（３）が外部穿孔手段（１６）によって穿孔されたとき、前記フィルター要素（７）が前記カプセル基部（３）から少なくとも部分的に持ち上げられるように形成されていることを特徴とする、請求項１に記載の分量カプセル。
【請求項１５】
前記フィルター要素（７）は、中心領域（７’’）においてのみ、前記カプセル基部（３）から持ち上げられ、前記カプセル基部（３）の前記縁領域（３’）では、前記カプセル基部（３）上にそのまま置かれているか、または前記カプセル基部（３）に取り付けられた状態で保持されるようになっていることを特徴とする、請求項１４に記載の分量カプセル。
【請求項１６】
前記フィルター要素（７）は、前記カプセル基部（３）が外部穿孔手段（１６）によって穿孔されたとき、前記フィルター要素（７）が、前記フィルター要素の前記中心領域（７’’）および前記フィルター要素（７）の縁領域（７’）において、前記カプセル基部（３）から持ち上げられ、前記充填側（４）の方向に予め突出した前記縁領域は、前記カプセル基部（３）の方向に少なくとも部分的に移動するように、形成されていることを特徴とする、請求項１に記載の分量カプセル。
【請求項１７】
前記フィルター要素（７）は、材料貯留部（１０３）を有していることを特徴とする、請求項１に記載の分量カプセル。
【請求項１８】
前記フィルター要素（７）は、前記材料貯留部（１０３）として機能する波形または折畳み領域（１０３’）を有していることを特徴とする、請求項１７に記載の分量カプセル。
【請求項１９】
前記フィルター要素（７）は、前記カプセル基部（３）が外部穿孔手段（１６）によって穿孔されたとき、前記フィルター要素（７）が、前記フィルター要素の前記中心領域（７’’）において、前記カプセル基部（３）から持ち上げられ、前記材料貯留部（１０３）からの前記フィルター要素（７）の材料が、前記中心領域（７’’）の方向に移動するように、形成されていることを特徴とする、請求項１７または１８のいずれかに記載の分量カプセル。
【請求項２０】
前記フィルター要素（７）は、前記カプセル基部（３）が外部穿孔手段（１６）によって穿孔されたとき、前記フィルター要素（７）が開孔され、および／また突き刺されるように形成され、かつ前記カプセル基部に取り付けられるようになっていることを特徴とする、請求項１に記載の分量カプセル。
【請求項２１】
前記カプセル基部（３）は、所定の破断点（１０４）を有しており、前記破断点（１０４）は、外部穿孔手段（１６）と機械的に接触する結果として、裂開されるようになっていることを特徴とする、請求項１に記載の分量カプセル。
【請求項２２】
前記所定の破断点（１０４）は、前記カプセル基部（３）の中心点（１０６）の周りに星状に配置された複数の脆弱線（１０５）を有しており、前記カプセル基部（３）は、前記脆弱線（１０５）に沿った肉薄材料を有しており、および／または前記脆弱線に沿った切取線孔を有していることを特徴とする、請求項２１に記載の分量カプセル。
【請求項２３】
前記カプセル基部（３）は、好ましくはフィルムまたは箔（１０８）によって封止された出口開口（１０７）を有しており、前記フィルムまたは箔（１０８）は、特に好ましくは、前記フィルムまたは箔を手で引き剥がすための引剥しタブ（１０９）を有していることを特徴とする、請求項１に記載の分量カプセル。
【請求項２４】
分量カプセルを作製するための方法であって、フィルター要素（７）が、帯片から切り取られ、好ましくは、ブレードによって、カプセル内に挿入され、基部に装着され、好ましくは、前記基部に封止され、次いで、粉末または紅茶が前記フィルター要素上に充填され、この後、前記カプセルが、カバーフィルムまたは箔によって密封されるようになっていることを特徴とする、方法。
【請求項２５】
請求項１〜２３のいずれか１つに記載の分量カプセル（１）を用いて、飲料を生成するための方法であって、第１の方法ステップにおいて、前記分量カプセル（１）が準備され、第２の方法ステップにおいて、カプセル基部（３）が外部穿孔手段（１６）によって穿孔され、第３の方法ステップにおいて、フィルター要素（７）が前記カプセル基部（３）から少なくとも部分的に離間されるようになっていることを特徴とする、方法。
【請求項２６】
前記第３の方法ステップにおいて、前記フィルター要素（７）は、中心領域（７’’）においてのみ、前記カプセル基部（３）から離間され、前記カプセル基部（３）の前記縁領域（３’）では、前記カプセル基部（３）にそのまま置かれるか、または前記カプセル基部（３）に取り付けられた状態で保持されるようになっていることを特徴とする、請求項２５に記載の方法。
【請求項２７】
前記フィルター要素（７）は、前記中心領域（７’’）が前記カプセル基部（３）から離間したとき、少なくとも部分的に引っ張られるようになっていることを特徴とする、請求項２５に記載の方法。
【請求項２８】
前記第３の方法ステップ中に前記中心領域（７’’）が前記カプセル基部（３）から離間したとき、前記充填側（４）の方向に突出している前記フィルター要素（７）の縁領域（７’）が、前記カプセル基部（３）の方向に移動するようになっていることを特徴とする、請求項２５に記載の方法。
【請求項２９】
前記第３の方法ステップ中に前記中心領域（７’’）が前記カプセル基部（３）から離間したとき、前記フィルター要素（７）の材料が、前記材料貯留部（１０３）から前記カプセル基部（３）の方向に移動するようになっており、特に、前記フィルター要素（７）の波形または折畳み領域（１０３’）が、少なくとも部分的に平らになるようになっていることを特徴とする、請求項２５に記載の方法。
【請求項３０】
飲料、好ましくは、コーヒー、ココア、紅茶、および／またはミルク飲料を生成するための請求項１〜２０のいずれか１つに記載の分量カプセル（１）の使用。
【発明の詳細な説明】
【技術分野】
【０００１】
本発明は、カプセル基部および充填側を備えるカプセル本体であって、粉末または液体
飲料の元を収容するための空洞がカプセル基部と充填側との間に形成されている、カプセ
ル本体と、飲料の元とカプセル基部との間に配置されたフィルター要素とを有する、飲料
を生成するための分量カプセルに関する。
【背景技術】
【０００２】
この種の分量カプセルは、一般的に、先行技術から知られている。一例として、特許文
献１，２，３は、コーヒーおよびエスプレッソを調製するためのこの汎用式の分量カプセ
ルを開示している。
【０００３】
飲料を調製するためのこの種の分量カプセルは、好ましくは、円錐台または円筒の形態
にあり、例えば、熱成形されたプラスチックフィルムから作製されているか、またはプラ
スチック射出成形プロセスを用いて作製されている。前記分量カプセルは、通常、カラ―
縁を有する開いた充填側であって、カラ―縁にカバーフィルムまたは箔が封止または接着
されている、開いた充填側と、閉じたカプセル基部であって、カプセル基部に対して支持
された粒子スクリーンが飲料の元とカプセル基部との間に配置されている、閉じたカプセ
ル基部と、を有している。これらのスクリーンは、熱可塑性プラスチックから射出成形さ
れているか、またはプラスチックフィルムから熱成形または打抜加工されている。
【０００４】
コーヒー飲料を調製するために、分量カプセルは、調製器具の煎出チャンバ内に挿入さ
れる。煎出チャンバの閉鎖プロセスの後または最中に、好ましくは、カプセルの閉じた基
部側が、煎出チャンバ内に配置された開口マンドレルによって開口され、次いで、煎出チ
ャンバが密封された後、シールフィルムまたは箔によって密封されている分量カプセルの
充填側が、突刺手段によって開孔される。次いで、調製液体、好ましくは、温水が、圧力
下で分量カプセル内に注入される。調製液体は、飲料の元を通って流れ、飲料の元から飲
料を生成するのに必要な物質を抽出および／または溶解する。エスプレッソを調製するに
は、精油を抽出するために、例えば、２０バールまでの煎出水圧がコーヒー粉末に加えら
れる。この圧力は、コーヒー粉末とカプセル基部との間で穿孔されたカプセル出口の前側
に位置する粒子スクリーンにも作用する。
【０００５】
しかし、プラスチック射出成形プロセスを用いて作製されたスクリーンあるいは熱成形
または打抜プロセスを用いて作製されたスクリーンの欠点は、スクリーン孔の開口が、コ
ーヒー粒子を保持するために、最小コーヒー粒子よりも小さくなければならないことであ
る。コーヒー挽豆プロセスにおいて、ある比率の微粉が必ず生じるので、特に高圧下にお
いて、もしスクリーン孔が大きすぎると、コーヒー粒子がスクリーンを通過し、もしスク
リーン孔が小さすぎると、スクリーンが詰まることになる。さらに、２０バールに至る煎
出水圧を吸収するために、かつ（高煎出水温を伴う）高煎出水圧の結果としてのスクリー
ンの変形を防ぐために、スクリーンの下方に、カプセル基部に対して作用する関連支持要
素を設ける必要がある。これらの支持要素は、特に射出成形プロセスを用いて作製された
スクリーン装置の場合、追加的な材料を用いる必要があり、その結果、製造コストが高く
なるという欠点を有している。
【０００６】
このような観点から、先行技術は、これらの欠点を避けることを意図したスクリーン装
置を有する分量カプセルを開示している。特許文献４，５,  ６は、比較的大きな通過開
口を備えるスクリーン支持体からなるスクリーン装置であって、これらの開口がフィルタ
ー材料によって覆われている、スクリーン装置を有する分量カプセルを開示している。こ
れらの装置の欠点は、これらの装置が安定したスクリーン支持体および該スクリーン支持
体に配置されるフィルター材料から構成されているので、このようなスクリーン装置を形
成するために、付加的な材料費および製造費を招くことにある。
【０００７】
スクリーン孔を有するスクリーンの場合および追加的なフィルター材料を有するスクリ
ーン装置の場合のいずれにおいても、スクリーン装置を貫流する生成した飲料は、カプセ
ル流出開口に確実に流れることが必要である。すなわち、飲料の放出のための自由空間を
カプセル基部とスクリーン装置との間に設けなければならない。加えて、この種のスクリ
ーン装置は、分量カプセル内にそれ自体の空間を占め、これによって、カプセルの容量が
大きくなり、必然的に追加的な材料が必要になる。
【先行技術文献】
【特許文献】
【０００８】
【特許文献１】欧州特許第１７９２８５０Ｂ１号明細書
【特許文献２】欧州特許出願公開第１３４４７２２Ａ１号明細書
【特許文献３】米国特許出願公開第２００３／０１７２８１３Ａ１号明細書
【特許文献４】米国特許第２，７７８，７３９号明細書
【特許文献５】欧州特許出願公開第１７１０１７３Ａ１号明細書
【特許文献６】米国特許第５，３５２，７６５号明細書
【発明の概要】
【発明が解決しようとする課題】
【０００９】
従って、本発明の目的は、フィルター装置を有する分量カプセルであって、先行技術と
比較して安価に製造することができると共に、先行技術に関連して述べた欠点を解消する
ことができる、分量カプセルを提供することにある。
【課題を解決するための手段】
【００１０】
この目的は、飲料を生成するための分量カプセルにおいて、カプセル基部および充填側
を備えるカプセル本体であって、粉末または液体飲料の元を収容するための空洞がカプセ
ル基部と充填側との間に形成されている、カプセル本体と、飲料の元とカプセル基部との
間に配置されたフィルター要素と、を有しており、フィルター要素がカプセル基部の領域
に配置された不織布から構成されている、分量カプセルによって達成されることになる。
【００１１】
先行技術と比較して、本発明による分量カプセルは、簡単で費用効率のよいフィルター
不織布がフィルタースクリーンとして用いられるという利点を有している。従って、スク
リーンを製造するための複雑なプラスチック射出成形プロセスあるいは熱成形または打抜
プロセスを省略することができる。その結果、製造コストが著しく低減されることになる
。加えて、不織布がカプセル基部上に直接支持されるので、支持構造体を設ける必要がな
い。しかも、フィルター不織布は、著しく大きい液体吸込面を有する点において、先行技
術から知られているプラスチックフィルターを上回る利点を有している。さらに、液体の
横断流れ（フィルター面の大部分をなす面と平行の流れ）が可能であり、その結果として
、改良された混合および流出挙動が達成されることになる。また、フィルター不織布が用
いられると、スクリーンが詰まる危険性が著しく低減するかまたは実質的になくなること
も見出されている。驚いたことに、フィルター不織布は、比較的低圧下の調製液体による
飲料調製の場合および比較的高圧下の調製液体による飲料調製の場合のいずれにおいても
、詰まりに対する耐性が得られることが分かっている。さらに、フィルター不織布におけ
る液体の横断流れは、常に、確実に維持され、フィルター不織布に入った液体は、常に、
確実に流出開口に流出する。それにもかかわらず、飲料、特に、エスプレッソに、所謂、
「クレマ（ｃｒｅｍａ）」、すなわち、泡が生じる。本発明が意図する分量カプセルは、
好ましくは、密封された分量カプセルからなっている。これは、分量カプセル内に置かれ
た飲料または食品の粉末、例えば、コーヒー粉末、スープ粉末、または紅茶が、抽出プロ
セス前、実質的に芳香が封じ込められた状態で環境から封止されていることを意味してい
る。しかし、分量カプセルは、必ずしも密封されている必要がなく、むしろ、使用前に密
封パッケージ内に入れて供給され、次いで、例えば、手で前記パッケージが開封されるよ
うになっていてもよい。
【００１２】
本発明が意図する不織布は、繊維、特に、プラスチック繊維からなる不規則な不織布構
造体である。本発明が意図する不織布は、好ましくは、どのような紙または紙状材料も含
んでいない。
【００１３】
本発明のさらに他の実施形態によれば、不織布は、細径プラスチック繊維、例えば、細
径ポリエステル繊維から作製された不織布材料からなっており、特に、不規則繊維の不織
布および／または配向繊維の不織布である。不織布は、好ましくは、４０〜１００ｇ／ｍ
２、特に好ましくは、６０〜８０ｇ／ｍ２、極めて好ましくは、実質的に７０ｇ／ｍ２の
（秤量または基本重量とも呼ばれる）質量／単位面積を有している。フィルター要素また
は不織布は、好ましくは、０．２〜０．８ｍｍ、特に好ましくは、０．３〜０．３５ｍｍ
、極めて好ましくは、実質的に０．３２ｍｍの厚みを有している。不織布は、該不織布の
空気透過率が、１００パスカルの圧力下において１０００〜３０００Ｌ／（ｍ２ｓ）、特
に好ましくは、１５００〜２５００Ｌ／（ｍ２ｓ）、極めて好ましくは、実質的に２００
０Ｌ／（ｍ２ｓ）であるように、形成されている。驚いたことにかつ意外なことに、この
種の不織布によって、抽出効率、混合および流出挙動、ならびに耐詰まり性に関する最適
な結果が達成されること、およびそれにもかかわらず、「クレマ（ｃｒｅｍａ）」が生じ
ることが見出されている。
【００１４】
不織布は、好ましくは、カプセルの基部上に可能な限り大きい表面積にわたって配置さ
されるようになっている。不織布は、特に好ましくは、特に超音波によって基部に封止さ
れるようになっている。不織布は、さらに好ましくは、基部に対する当接を改良するため
に、カプセル、特に、カプセル基部に取り付けられる前に、引っ張られるとよい。
【００１５】
カプセルが穿孔手段によって開口されたとき、この穿孔手段が不織布をカプセル基部か
ら離れる方に移動させ、これによって、前記不織布を引っ張るかまたは追加的に引っ張る
ようになっていると、有利である。この場合、穿孔手段は、不織布に侵入または貫入して
もよい。不織布は、好ましくは、該不織布が置かれるカプセル基部よりも大きくなってお
り、これによって、不織布の縁がいくらか突出するようになっているとよい。
【００１６】
本発明のさらに他の主題またはさらに他の実施形態によれば、フィルター要素は、フェ
ルト構造体を有している。前記フェルト構造体は、特に、ニードルフェルト構造体である
。フィルター要素は、好ましくは、少なくとも１つのフェルト構造体と、支持構造体、特
に織布構造体とからなっている。フェルト構造体は、容積の少なくとも小区分において、
特に好ましくは、支持構造体を備えている。フェルト構造体は、好ましくは、支持構造体
の全断面に拡がっているが、特に好ましくは、高さの小領域にのみ拡がっていてもよい。
フェルト構造体は、好ましくは、嵌合、圧入、および／または付着によって支持構造体に
接続されている。フィルター要素は、好ましくは、支持構造体によって互いに分離された
２つ以上のフェルト構造体を有している。２つのフェルト構造体の厚みは、同じであって
もよいし、異なっていてもよい。粉末または紅茶の方を向いたフェルト構造体は、好まし
くは、カプセル基部の方を向いたフェルト構造体よりも薄くなっており、またはその逆で
あってもよい。フェルト構造体の表面は、例えば、遊離繊維を固定するために、処理、例
えば、熱処理されている。フェルト構造体を有するフィルター要素は、好ましくは、カプ
セル内、特に、その基部上に単に挿入されるようになっている。しかし、フィルター要素
は、カプセル、特にその基部に、特に付着によって接続されていてもよい。穿孔中、穿孔
手段は、このフィルター要素に侵入することができる。１つまたは複数のフェルト構造体
および支持構造体を有する複数のフィルター要素が、好ましくは、カプセル内に互いに重
なって配置されているとよく、可能であれば、互いに接続されているとよい。
【００１７】
フェルト構造体を有するフィルター要素は、コーヒー、エスプレッソ、などに「クレマ
」が生じず、また紅茶に泡が生じないという利点を有している。
【００１８】
支持構造体、特に、織布構造体とフェルト構造体とを有するフィルター要素を作製する
ために、例えば、経糸および緯糸からなる織布構造体が準備される。フェルト、特に、ニ
ードルフェルトを作製するには、好ましくは、０．８〜７ｄｔｅｘの繊維単位が選択され
る。個々の繊維は、互いに接続され、これによって、フェルトを形成し、および／または
支持構造体に、好ましくはニードル製造プロセスによって、係留されることになる。この
場合、逆棘付き針が、予め置かれた繊維束に高速度で出し入れされる。逆棘によって、繊
維が互いに編み込まれ、および／または多数のループによって織られた支持体に編み込ま
れることになる。
【００１９】
１つまたは複数のフェルト構造体を有する支持要素は、紅茶を生成する場合、好ましく
は、１００〜８００ｇ／ｍ２、特に好ましくは、２００〜６５０ｇ／ｍ２、極めて好まし
くは、実質的に１５０〜２５０ｇ／ｍ２、およびコーヒー、エスプレッソなどを生成する
場合、６００〜７００ｇ／ｍ２の（秤量または基本重量とも呼ばれる）質量／単位面積を
有している。フィルター要素または不織布は、紅茶を生成する場合、好ましくは、０．８
〜３．３ｍｍ、特に好ましくは、１．１〜３．０ｍｍ、極めて好ましくは、１．２〜１．
４ｍｍ、およびコーヒーを生成する場合、２．６〜３．０ｍｍの厚みを有している。
【００２０】
本発明のさらに他の主題またはさらに他の実施形態によれば、フィルター要素は、カプ
セル基部の領域に配置された開孔スポンジおよび／または開孔発泡体からなっている。驚
いたことにかつ意外なことに、先行技術を上回る前述の利点、例えば、低製造コスト、耐
詰まり性、液体の横断流れ、および改良された混合および流出挙動は、開孔スポンジの形
態にあるフィルター要素および／または開孔発泡体の形態にあるフィルター要素によって
、同じように達成されることが見出されている。特に、不織布、開孔スポンジ、および開
孔発泡体は、各々、液体の横断流れを可能にする微細孔を有しており、これによって、耐
詰まり性をもたらしている。スポンジは、例えば、網目状ポリウレタン発泡体から構成さ
れている。
【００２１】
フィルター要素、すなわち、例えば、不織布、フェルト、スポンジ、または発泡体は、
好ましくは、カプセル本体に飲料の元が充填される前に、カプセル本体内に単純に挿入さ
れ、次いで、カプセル本体上にゆるく置かれるか、または特に融着、例えば、超音波を用
いる融着によって、前記カプセル基部および／またはカプセルの側壁に接続されるように
なっている。カプセル本体は、好ましくは、円錐台または円筒の形態にあり、例えば、熱
成形プラスチックフィルムの形態にあるプラスチック、天然材料および／または生分解性
材料から作製され、またはプラスチック射出成形プロセスを用いて、これらの材料から作
製されている。カプセル本体は、好ましくは、充填側にカラ―縁を有しており、該カラ―
縁にカバーフィルムまたは箔が封止または接着されている。代替例として、機械的な方法
によって、カプセル本体およびカプセルカバーが互いに接続されていてもよい。分量カプ
セルの基部は、好ましくは、閉鎖されており、好ましくは、最初に流出開口を生成するた
めに、穿孔手段によって煎出チャンバ内に穿孔されるようになっている。前記穿孔手段は
、外側から分量カプセル基部に作用するものである。しかし、他の実行可能な代替例とし
て、工場において、出口開口が予め分量カプセルの基部に設けられていてもよい。前記出
口開口は、好ましくは、シールフィルムまたは箔によって封止されている。シールフィル
ムまたは箔は、例えば、穿孔手段によって穿孔されてもよいし、または手でカプセル基部
から引き剥がされてもよい。フィルター不織布は、好ましくは、耐引裂性を有している。
シールフィルムまたは箔は、好ましくは、少なくとも１つのバリア層、例えば、金属層、
特に、アルミニウム層を有するプラスチックフィルムである。プラスチックフィルムは、
好ましくは、プラスチックフィルムを比較的容易にカプセル基部から取り外すことを可能
にするために、カプセルの方を向いた側に「引剥し層」を有している。
【００２２】
出口開口は、好ましくは、穿孔手段を接触した状態で収容することができる大きさに設
けられている。出口開口は、特に好ましくは、生じた飲料が流出するときに大きな圧力損
失を生じない大きさ、特に、飲料への空気の巻込み、従って、泡の生成をもたらす生成し
た飲料の大きな渦流が生じない大きさに設けられている。
【００２３】
本発明のさらに他の主題またはさらに他の実施形態によれば、フィルター要素は、弾性
的であり、少なくともその縁領域がカプセル基部の領域に配置され、および／または取り
付けられるようになっている。カプセル基部が外部穿孔手段によって突き刺されると、フ
ィルター要素は、穿孔手段と接触することによって、その弾性によって、撓むかまたは引
き伸ばされ、これによって、フィルター要素の穿孔が阻止される。その結果、フィルター
要素が穿孔手段によって穿孔され、飲料物質が濾過されることなく分量カプセルから流出
される危険性をなくすことができる。先行技術から知られているようなフィルター要素と
カプセル基部との間の一定の間隔は、必要ではない。何故なら、この距離は、穿孔手段に
よって自動的に生じるからである。さらに、フィルター要素を通過する飲料液体用の収集
貯めが、このようにしてフィルター要素の下方に生じることになる。
【００２４】
本発明のさらに他の主題またはさらに他の実施形態によれば、フィルター要素は、穿孔
手段によって、引っ張られ、開孔され、および／または突き刺されるようになっている。
【００２５】
本発明のさらに他の主題またはさらに他の実施形態によれば、フィルター要素は、分量
カプセルの空洞内に配置され、充填側の方を向いたカプセル基部の側に置かれるようにな
っている。分量カプセルの製造コストは、フィルター要素が単純に分量カプセル内にゆる
く挿入されるようになっているので、著しく低減されることになる。フィルター要素は、
好ましくは、飲料物質によって固定されることになる。具体的には、分量カプセルの充填
時に、飲料物質がフィルター要素上に置かれ、これによって、フィルター要素をしっかり
と保持することになる。
【００２６】
本発明のさらに他の主題またはさらに他の実施形態によれば、フィルター要素の直径は
、カプセル基部の直径よりも大きくなっている。分量カプセルが飲料物質によって充填さ
れたとき、フィルター要素は、有利には、基部領域に押圧され、突出している縁領域は、
必然的に分量カプセルの側壁領域にしっかりと嵌合され、充填側の方向に突出するかまた
は充填側の方向に屈曲されることになる。これは、フィルター要素の中心領域が外側から
基部領域に侵入した穿孔手段との機械的な接触によって基部から持ち上げられたとき、縁
領域がカプセル基部の方向および中心領域の方向にずり落ち、これによって、飲料物質が
、フィルター要素の周囲から、濾過されることなく該フィルター要素の縁を迂回して出口
開口の方向に流れることがない、という利点を有している。これによって、特に非弾性フ
ィルター要素の場合であっても、濾過効果に悪影響を与えることなく、フィルター要素を
カプセル基部から持ち上げることができる。弾性フィルター要素の場合、濾過効果に悪影
響を与えることのない中心領域の持上げが、フィルター要素の縁領域のすべりによって、
少なくとも促進される。何故なら、カプセル基部の穿孔時に、フィルター要素の伸張とす
べりを組み合わせることができるからである。
【００２７】
本発明のさらに他の主題またはさらに他の実施形態によれば、フィルター要素は、実質
的に充填側の方向に突出しているおよび／または充填側の方向に屈曲している縁領域を有
している。このようにして、フィルター要素が中心領域において持上げられるや否や、縁
領域がカプセル基部の方向または中心領域の方向にすべるという前述の利点を達成するこ
とができる。
【００２８】
本発明のさらに他の実施形態によれば、縁領域は、カプセル本体の側壁領域に沿って少
なくとも部分的に延在している。側壁領域は、充填側とカプセル基部との間に延在してい
る領域である。縁領域は、有利には、分量カプセルの充填時に、飲料物質によって側壁領
域に対して押圧され、その結果、側壁領域とフィルター要素との間に、改良されたシール
効果が得られることになる。特に、フィルター要素が前述したようにすべる場合、これに
よって、煎出水が、フィルター要素によって遮られることなく、フィルター要素の周りに
流れることが防止されることになる。
【００２９】
本発明のさらに他の実施形態によれば、フィルター要素は、カプセル基部を完全に覆う
ようになっているか、または部分的にのみ覆うようになっている。特に、フィルター要素
は、穿孔の領域にのみまたはカプセル基部の出口開口の領域にのみ配置されていれば、十
分である。
【００３０】
本発明のさらに他の実施形態によれば、フィルター要素は、カプセル基部に取り付けら
れるようになっている。この場合、フィルター要素は、好ましくは、付着によって、特に
、封止によって、カプセル基部に取り付けられるようになっている。これによって、有利
には、フィルター要素のすべりが防止されることになる。この取付けは、好ましくは、超
音波融着によって行われるとよい。
【００３１】
本発明のさらに他の実施形態によれば、フィルター要素は、カプセル基部の縁領域に取
り付けられるようになっており、および／またはフィルター要素は、その縁領域が側壁領
域に取り付けられるようになっている。これによって、有利には、フィルター要素のずり
落ちが防止され、カプセル本体とフィルター要素との間のシール効果を高めることができ
るが、同時にフィルター要素の中心領域を持ち上げることもさらに可能である。この場合
、フィルター要素は、好ましくは、弾性的である。
【００３２】
本発明のさらに他の実施形態によれば、カプセル基部は、充填側と反対の方向に突起を
有している。突起は、有利には、穿孔手段を収容するように機能し、これによって、穿孔
手段がカプセル基部を突き刺したとき、カプセル基部は、突起の領域において穿孔される
が、穿孔手段は、突起の空洞内にとどまることになる。これによって、フィルター要素の
穿孔が防止されることのなる。特に、この実施形態では、フィルター要素は、穿孔手段に
よって持ち上げられる必要がない。しかし、フィルター要素は、どのような偶発的な穿孔
をも排除するために、穿孔手段によって持ち上げられるように設計されていてもよい。
【００３３】
本発明のさらに他の主題またはさらに他の実施形態によれば、フィルター要素は、カプ
セル基部が外部穿孔手段によって穿孔されたとき、フィルター要素がカプセル基部から少
なくとも部分的に持ち上げられるように、形成されている。これによって、穿孔手段によ
るフィルター要素の穿孔が効果的に阻止されることになる。
【００３４】
本発明のさらに他の実施形態によれば、フィルター要素は、中心領域においてのみカプ
セル基部から持ち上げられ、カプセル基部の縁領域上においてはそのまま置かれているか
または取り付けられた状態で保持されるようになっている。これによって、有利には、フ
ィルター要素のすべりが防がれ、カプセル基部とフィルター要素との間のシール効果を高
めることができるが、同時にフィルター要素の中心領域を同時に持ち上げることもさらに
可能である。この場合、フィルター要素は、好ましくは、弾性的である。
【００３５】
本発明のさらに他の手段またはさらに他の実施形態によれば、フィルター要素は、カプ
セル基部が外部穿孔手段によって穿孔されたとき、フィルター要素の中心領域および縁領
域がカプセル基部から持ち上げられるように、形成されている。この場合、充填側の方向
に予め突出している縁領域は、カプセル基部の方向に少なくとも部分的に移動することに
なる。このようにして、前述の利点、すなわち、フィルター不織布の中心領域が穿孔手段
によって持ち上げられるや否や、縁領域がカプセル基部の方向または中心領域の方向にす
べり、これによって、飲料物質が、フィルター要素の周囲から、濾過されることなく該フ
ィルター要素の縁を迂回して出口開口の方向に流れることがないという利点を達成するこ
とができる。
【００３６】
本発明のさらに他の主題またはさらに他の実施形態によれば、フィルター要素は、材料
貯留部を有している。材料貯留部によって、有利には、フィルター要素がその縁領域にお
いてカプセル基部にしっかりと（特に付着によって）接続されており、かつ実質的に非弾
性的であっても、フィルター要素の中心領域をカプセル基部から持ち上げることが可能で
ある。材料貯留部は、特に、フィルター要素の波形領域または折畳み領域から構成されて
おり、前記領域は、中心領域が穿孔手段によってカプセル基部から持上げられたとき、少
なくとも部分的に平らになる。これによって、カプセル基部が外部穿孔手段によって持上
げられたとき、フィルター要素の中心領域がカプセル基部から持ち上げられ、フィルター
要素の材料が材料貯留部から中心領域の方向に移動することが確実になる。従って、持上
げプロセスの結果として大きくなるフィルター要素の表面が、材料貯留部からの材料によ
って補償されることになる。
【００３７】
本発明のさらに他の実施形態によれば、カプセル基部は、所定の破断点を有しており、
該破断点は、外部穿孔手段との機械的な接触によって裂開されることが意図されている。
所定の破断点は、好ましくは、カプセル基部の中心点の周りに星状に配置された複数の脆
弱線を有している。カプセル基部は、好ましくは、脆弱線に沿った薄肉材料を有しており
、および／または脆弱線に沿った切取線孔を有している。カプセル基部の穿孔は、有利に
は、所定の破断点を設けることによって促進されることになる。また、これは、カプセル
基部を穿孔するために、鋭利でない穿孔スパイクを用いることができるという利点を有し
ており、その結果、フィルター要素が穿孔スパイクによって持ち上げられたときに生じる
フィルター要素の損傷の危険性が低減されることになる。特に、丸い穿孔手段であっても
カプセル基部を十分に穿孔することが可能になる。
【００３８】
さらに他の実施形態によれば、カプセル基部は、好ましくはフィルムまたは箔によって
封止された出口開口を恒久的に有している。フィルムまたは箔は、特に好ましくは、フィ
ルムまたは箔を手で引き剥がすための引剥しタブを有している。有利には、この場合、外
部穿孔手段によるカプセル基部の穿孔は、不必要である。分量カプセルが煎出チャンバ内
に挿入される前に、フィルムまたは箔は、引剥しタブによってカプセル基部から簡単に引
き剥がされ、煎出プロセスを開始することができる。従って、予め作製した比較的大きな
出口開口を不織布、フェルト、特にニードルフェルト、発泡材料、またはスポンジ材料か
らなるフィルター要素と組み合わせることによって、飲料液体を高圧下で出口開口から流
出させず、これによって、特にアメリカーノコーヒーまたは紅茶を生成するとき、泡（ク
レーマ）の生成が防がれるという利点がもたらされることになる。
【００３９】
本発明のさらに他の手段は、本発明によるカプセルを生成するための方法である。この
方法では、フィルター要素が、繊維ウエブから切り取られ、カプセル内に挿入される。切
り取られたフィルター要素は、好ましくは、ブレード、特に、フィルターを切り取った凹
面ブレードによって、少なくともある距離だけ運ばれる。好ましくは、切り取られたフィ
ルター要素は、超音波融着に必要な音波発振器によってさらに運ばれ、および／またはカ
プセル、特に、その基部に対して押圧される。
【００４０】
本発明のさらに他の主題は、分量カプセルを用いて飲料を生成するための方法である。
この方法では、第１の方法ステップにおいて、分量カプセルが準備され、第２の方法ステ
ップにおいて、カプセル基部が外部穿孔手段によって穿孔され、第３の方法ステップにお
いて、フィルター要素がカプセル基部から少なくとも部分的に離間されるようになってい
る。第３の方法ステップにおいて、フィルター要素は、好ましくは、穿孔されたカプセル
基部から離間するように、穿孔手段によってカプセル基部から持ち上げられるようになっ
ている。この場合、カプセル基部は、中心点の領域において穿孔され、これによって、フ
ィルター要素の主に中心領域が同時に持ち上げられ、その一方、前記フィルター要素の縁
領域は、好ましくは、カプセル基部にそのまま置かれ、または取り付けられた状態で保持
されている。このようにして、カプセル本体とフィルター要素との間のシール効果は、中
心領域が持上げられることによって、悪影響を受けることがない。
【００４１】
本発明のさらに他の実施形態によれば、フィルター要素は、中心領域がカプセル基部か
ら離間したとき、少なくとも部分的に引っ張られるようになっている。これによって、フ
ィルター要素の縁領域をカプセル基部に密着して取り付けることができ、それにもかかわ
らず、フィルター要素の中心領域をカプセル基部から持上げることができる。その結果と
して、フィルターを持上げる利点に最大のシール効果を組み合わせることができる。
【００４２】
本発明のさらに他の実施形態によれば、第３の方法ステップ中に中心領域がカプセル基
部から離間したとき、充填側の方向に突出しているフィルター要素の縁領域がカプセル基
部の方向に移動するようになっている。これによって、中心領域がカプセル基部から持上
げられたとき、飲料液体が、濾過されることなく出口開口の方向に移動することが防止さ
れることになる。
【００４３】
本発明のさらに他の実施形態によれば、第３の方法ステップ中に中心領域がカプセル基
部から離間したとき、フィルター要素の材料が、材料貯留部からカプセル基部の方向に移
動するようになっている。この場合、特に、フィルター要素の波形または折畳み領域が少
なくとも部分的に平らになる。これによって、フィルター要素の縁領域をカプセル基部に
付着によって取り付けることができ、それにもかかわらず、フィルター要素の中心領域を
カプセル基部から持ち上げることが可能になる。材料貯留部は、好ましくは、フィルター
要素の中心領域の周りに延在している。
【００４４】
本発明のさらに他の主題は、飲料、好ましくは、コーヒー、ココア、紅茶、および／ま
たはミルク飲料を生成するための分量カプセルの使用である。
【００４５】
本発明の１つの主題に関してなされた説明は、他の主題にも同様に適用され、またその
逆も同様である。
【００４６】
本発明の例示的な実施形態は、図面に示されており、以下の説明によってさらに詳細に
明らかになるだろう。図面は、単なる例示にすぎず、本発明の一般的な概念を制約するも
のではない。以下の説明は、本発明の全ての主題に同様に適用されるものである。
【図面の簡単な説明】
【００４７】
【図１】エスプレッソを生成する目的で設計された本発明の第１の実施形態による分量カプセルの縦断面図である。
【図２】閉じた煎出チャンバ内に位置している本発明の第１の実施形態による分量カプセルの縦断面図である。
【図３】閉じた煎出チャンバ内に位置している本発明の第２の例示的な実施形態による分量カプセルの縦断面図である。
【図４ａ．４ｂ】本発明の第３の実施形態による分量カプセルの略断面図である。
【図５ａ．５ｂ】本発明の第４の実施形態による分量カプセルの略断面図である。
【図６ａ．６ｂ】本発明の第５の実施形態による分量カプセルの略断面図である。
【図７ａ．７ｂ】本発明の第６の実施形態による分量カプセルの略断面図である。
【図８ａ．８ｂ】本発明の第７の実施形態による分量カプセルのカプセル基部の略平面図である。
【図９】本発明の第８の実施形態による分量カプセルの断面図である。
【図１０】フィルター要素に侵入している穿孔手段を示す図である
【図１１】フィルター要素に貫入している穿孔手段を示す図である。
【図１２】図１２ａ−１２ｃは、フェルト、特に、ニードルフェルトを備えるフィルター要素の種々の実施形態を示す図である。
【発明を実施するための形態】
【００４８】
種々の図において、同一の部品は、常に同一の参照番号を有しており、それゆえ、概し
て、各場合に一度しか参照または言及されないことになる。
【００４９】
図１は、本発明による分量カプセル１の第１の実施形態を示している。分量カプセル１
は、円錐台の形態にあるカプセル本体２を備えている。カプセル本体２は、閉じたカプセ
ル基部３およびカラ―縁５を有している。カラ―縁５は、前記カプセル本体の充填側４に
配置されており、カバーフィルムまたは箔６が、このカラ―縁５に融着または接着されて
いる。従って、好ましくは空気および芳香を封じ込めている空洞１００が、カプセル基部
３とカバーフィルムまたは箔６との間に形成されることになる。前記空洞は、粉状または
粒状の飲料物質１０１によって充填されている。この場合、飲料物質１０１は、例えば、
コーヒー、ココア、紅茶、および／またはミルクの粉末（粒子）からなっている。不織布
フィルターあるいはスポンジまたは発泡体フィルターからなるフィルター要素７が、閉じ
たカプセル基部３の内側３ａ、すなわち、空洞１００内に配置されている。フィルター要
素７は、カプセル基部３の内側３ａ上にゆるく置かれているか、またはカプセル本体基部
３の内側３ａにしっかりと、すなわち、好ましくは付着して接続されている。第２の変更
例では、フィルター要素７は、特にカプセル基部３の縁領域３’においてのみ、カプセル
基部３に付着して取り付けられている。不織布は、好ましくは、細径ポリエステル繊維か
ら作製された不織布材料からなっている。繊維は、特に好ましくは、カレンダー加工によ
って互いに熱接続されている。例えば、多数の押出ポリエステル繊維が、互いに並べて配
置され、次いで、加熱ローラによって固化（平坦カレンダー加工）されるようになってい
るとよい。不織布材料は、不規則繊維不織布材料および／または配向繊維不織布材料から
なっている。不織布は、好ましくは、４０〜１００ｇ／ｍ２、特に好ましくは、６０〜８
０ｇ／ｍ２、極めて好ましくは、実質的に７０ｇ／ｍ２の（秤量または基本重量とも呼ば
れる）質量／単位面積を有している。フィルター要素または不織布は、好ましくは、０．
２０〜０．８ｍｍ、特に好ましくは、０．２５〜０．３９ｍｍ、極めて好ましくは、実質
的に０．３２ｍｍの厚みを有している。不織布は、不織布の空気透過率が、１００パスカ
ルの圧力下において、好ましくは、１０００〜３０００Ｌ／（ｍ２ｓ）、特に好ましくは
、１５００〜２５００Ｌ／（ｍ２ｓ）、極めて好ましくは、実質的に２０００Ｌ／（ｍ２
ｓ）であるように、形成されている。不織布は、さらに好ましくは、破断強度が長手方向
において実質的に１１０ニュートン／５ｃｍおよび横方向において実質的に６７ニュート
ン／５ｃｍであり、破断伸びが長手方向において実質的に３０％および横方向において実
質的に３８％であるように、形成されている。
【００５０】
図２は、図１に示されている本発明の第１の実施形態による分量カプセル１を示してい
るが、図２の分量カプセル１は、閉じた煎出チャンバ８内に配置されている。煎出チャン
バ８は、第１の煎出チャンバ要素９および第２の煎出チャンバ要素１０からなっており、
第１の煎出チャンバ要素９は、分量カプセル１を挿入するために設けられている。従って
、第１の煎出チャンバ要素９は、第２の煎出チャンバ要素１０に対して移動することがで
き、またはその逆に、第２の煎出チャンバ要素１０は、第１の煎出チャンバ要素９に対し
て移動することができる。シール１１が、２つの煎出チャンバ要素９，１０間に配置され
ている。第１の煎出チャンバ要素９は、分量カプセル１のカバーフィルムまたは箔６を開
孔するための突刺要素１３ａ，１３ｂを有する閉鎖ピストン１２と、調製液体供給手段１
４と、シール１１とから実質的になっている。第２の煎出チャンバ要素１０は、煎出チャ
ンバベル１５と、飲料放出手段１８とから実質的になっている。煎出チャンバベル１５は
、分量カプセル１を部分的に包囲するようになっており、開口マンドレル１６を有してい
る。開口マンドレル１６は、煎出チャンバベル１５の基部上に配置されており、放出溝１
７を備えている。分量カプセル１を収容するために、煎出チャンバ８は、（図示されてい
ない）開状態にあり、この開状態では、分量カプセル１の供給を確実にするために、第１
および第２の煎出チャンバ要素９，１０は、互いに離間している。図示されている閉状態
では、分量カプセル１を用いて飲料を生成するための調製プロセスを行うことができる。
この閉状態では、煎出チャンバ８は、圧密に封止されている。煎出チャンバ８が開状態か
ら図示されている閉状態に移動すると、カバーフィルムまたは箔６が、突刺要素１３ａ，
１３ｂによって突き刺され、これによって、調製液体、特に、高温の煎出水が圧力下で調
製液体供給手段１４を通って分量カプセル１の空洞１００内に流入することになる。さら
に、煎出チャンバ８が閉鎖されると、カプセル基部３が開口マンドレル１６の形態にある
穿孔手段によって穿孔され、その結果、出口開口１０７が分量カプセル１に形成され、こ
れによって、生成された飲料液体が、前記出口開口を通って飲料放出手段１８の方向に分
量カプセル１から流出することが可能になる。飲料液体の送出を促進するために、開口マ
ンドレル１６は、その外被面に放出溝１７を備えている。図示されている例では、分量カ
プセル１の煎出チャンバ９，１０内に配置されている分量カプセル１の基部３は、第２の
煎出チャンバ要素の開口マンドレル１６によって突き刺されているが、突刺点の上方に位
置するフィルター要素７は、開口マンドレル１６の突刺スパイク１９によっていくらか持
ち上げられているが、突き刺されていない。これは、特に、中央領域７’’がカプセル基
部３に付着接続されていないこと、すなわち、フィルター要素７がカプセル基部３の縁領
域３’においてのみカプセル基部３に付着接続されていることによって、達成されている
。具体的には、中心領域７’’のみが、開口マンドレル１６のスパイクと機械的に接触す
る結果として、カプセル基部３から持ち上げられ、これによって、未穿孔の状態（すなわ
ち、開口マンドレル１６によって穿孔されていない状態）にとどまっている。カプセル基
部３およびフィルター要素７は、互いに接触しており、特に、カプセル基部の縁領域３’
およびフィルター要素７の縁領域７’において、互いに付着接続されているので、飲料物
質１０１がフィルター要素７の周りから飲料放出手段１８に侵入することがない。カプセ
ル基部３は、任意選択的に、カプセル基部３が開口マンドレル１６によって穿孔されるそ
の中心点１０６に所定の破断点１０４を有しており、これによって、比較的丸い開口マン
ドレル１６であっても、十分にカプセル基部３を穿孔することができ、その結果、フィル
ター要素７が開口マンドレル１６によって偶発的に穿孔される危険性をなくすことができ
る。
【００５１】
図３は、本発明の第２の実施形態による分量カプセル１を示している。第２の実施形態
は、図２に示されている第１の実施形態と実質的に類似しており、図２と同様、閉じた煎
出チャンバ８内の分量カプセル１を示している。しかし、第１の実施形態と対照的に、分
量カプセル基部３は、開口マンドレル１６の突刺領域に突起２１を有している。突起２１
は、煎出チャンバ基部３ａの凹部２０に向けられている（従って、突起２１は、充填側４
と反対の方向に向けられている）。このプロセスにおいて、開口マンドレル１６は、フィ
ルター要素７を突き刺すことなく、この突起２１に進入することになる。従って、特に、
フィルター要素７をカプセル基部３から持ち上げる必要がない。飲料を生成するために、
分量カプセル１が煎出チャンバ８内に挿入された後、ここでも、煎出チャンバ８が閉鎖さ
れる。この閉鎖プロセス中、分量カプセル１のカバーフィルムまたは箔６が突刺手段１３
ａ，１３ｂによって穿孔され、次いで、第１および第２の煎出チャンバ要素９，１０が一
緒にされ、（シール１１によって）封止された後、煎出水が液体入口１４を介して注入さ
れることになる。煎出チャンバの閉鎖プロセス中、開口マンドレル１６が、同様に、分量
カプセル１の基部３に開口を生成する。突刺点の上方に位置するフィルター要素７の厚み
および引裂強度は、開口マンドレル１６の突刺スパイク１９の貫通深さに対応して決めら
れており、その結果、フィルター要素７は、突き刺されることがない。代替例として、フ
ィルター要素７は、煎出ベル基部２３の凹部内に位置するカプセル基部３の突起２１の上
方に位置しており、開口マンドレル１６は、カプセル基部３の突起２１のみに進入し、フ
ィルター要素７に到達しないようになっている。次いで、液体、例えば、コーヒーを生成
するときには、温水がカプセル１内に流入する。カプセルでは、この液体は、飲料の元１
０１を通って流れ、飲料を生成するのに必要な物質を飲料の元１０１から抽出および／ま
たは溶解する。飲料の元１０１における液体の流れは、参照番号２２によって示されてい
る。得られた飲料は、飲料の元１０１とカプセル基部３との間に配置されたフィルター要
素７を貫流する。これによって、飲料の元１０１の粒子形態にある成分が、得られた飲料
に入り、さらに、開口マンドレル１６によってカプセル基部４に作られた開口および開口
マンドレル１６の放出溝１７を介して、収集容器、例えば、カップまたはポット内に入る
ことが防がれる。
【００５２】
図４ａおよび図４ｂは、本発明の第３の実施形態による分量カプセル１の略断面図を示
している。第３の実施形態は、図１および図２に示されている第１の実施形態と実質的に
類似しているが、フィルター要素７は、弾性的である。図４ａは、開始状態にある分量カ
プセル１を示しており、図４ｂは、穿孔手段１６によって穿孔された状態にある前記分量
カプセルを示している（分量カプセル１は、図４ｂでは（図示されていない）煎出チャン
バ８内に配置されている）。穿孔手段１６と機械的に接触すると、フィルター要素７は、
該フィルター要素７の弾性設計によって、その中心領域７’’が、穿孔手段１６によって
穿孔または裂開されることなく、入口側４の方向に引っ張られる。フィルター要素７は、
カプセル基部の縁領域３’において、カプセル基部３にしっかりと、すなわち、付着して
接続されているので、飲料物質１０１は、空洞１００からフィルター要素７を迂回して穿
孔手段１６によって生じた出口開口１０７の方向に流れることがない。
【００５３】
図５ａおよび図５ｂは、本発明の第４の実施形態による分量カプセル１の略断面図を示
している。第４の実施形態は、図４ａおよび図４ｂに示されている第３の実施形態と実質
的に同じである。しかし、この場合、フィルター要素７は、非弾性的であり、穿孔手段１
６によって、カプセル基部３から実質的に全体的に持ち上げられている。フィルター要素
７の基部領域は、プロセス中に変化しないので、フィルター要素の縁領域７’は、内側に
、すなわち、カプセル基部３の中心点１０６の方向にすべっている。
【００５４】
図６ａおよび図６ｂは、本発明の第５の実施形態による分量カプセル１の略断面図を示
している。第５の実施形態は、図５ａおよび図５ｂに示されている第４の実施形態と実質
的に類似している。フィルター要素７は、特に、柔軟であり、カプセル基部３の基部領域
よりも大きい基部領域を有している。これによって、図６ａに示されている分量カプセル
１の開始状態では、フィルター要素７の縁領域７’が、（カラ―縁５からカプセル基部３
に延在している）カプセル本体２の側壁領域１０２の下側部分にしっかりと嵌め込まれて
いる。もしここでカプセル基部３が穿孔手段１６によって穿孔され、フィルター要素７の
中心領域７’’が穿孔手段１６によってカプセル基部３から持ち上げられたなら、フィル
ター要素７の縁領域７’は、カプセル基部３の方向に移動することになる。これによって
、カプセル基部３の縁領域３’は、常にフィルター要素７によって覆われているので、飲
料物質１０１が、濾過されることなく、フィルター要素７を迂回して放出手段１８の方向
に流れないことが確実になる。
【００５５】
図７ａおよび図７ｂは、本発明の第６の実施形態による分量カプセル１の断面図を示し
ている。第６の実施形態は、図５ａおよび図５ｂに示されている第４の実施形態に実質的
に類似しているが、フィルター要素７は、材料貯留部１０３を有している。材料貯留部１
０３は、波形領域１０３’、すなわち、フィルター要素７の過剰な材料が寄せ集められた
領域から構成されている。もしここで中心領域７’’が穿孔手段１６によってカプセル基
部３から持ち上げられたなら、牽引力が材料貯留部１０３に作用し、その結果として、波
形領域１０３’が少なくとも部分的に平らになり、中心領域７’’が十分な量だけ持ち上
げられ、フィルター要素７の裂開または穿孔が阻止されるのに十分な材料が、中心領域７
’’にもたらされることになる。
【００５６】
図８ａおよび図８ｂは、本発明の第７の実施形態による分量カプセル１のカプセル基部
３の図を示している。前記第７の実施形態は、図１および図２に示されている第１の実施
形態に実質的に類似しているが、図８では、分量カプセル１が「底」から示されている。
この図は、任意選択的な所定の破断点１０４を示している。破断点１０４は、３本の脆弱
線１０５からなっている。脆弱線１０５は、カプセル基部３の中心点１０６の周りに半径
方向に延びる星の形状に配置されている。煎出チャンバ８における穿孔を助長するために
、カプセル基部３は、脆弱線１０５に沿った薄肉材料を有しており、および／または脆弱
線１０５に沿った切取線孔を有している。切取線孔を有するカプセル基部３が比較的長期
間貯蔵されても、飲料物質１０１の芳香を維持するために、カプセル基部３は、好ましく
は、フィルムまたは箔１０８によって封止されている。フィルム１０８は、少なくとも所
定の破断点１０４の領域において、手で穿孔されるかまたは引き剥がされるようになって
いる。フィルムまたは箔１０８は、例えば、カプセル基部３の外側に付着されており、引
剥しタブ１０９を備えている。引剥しタブ１０９は、カプセル基部３に付着されておらず
、このタブによって、手でフィルムまたは箔１０８を引き剥がすことができる。カプセル
基部３の切取線孔の形態にある脆弱線１０５およびフィルムまたは箔１０８を有する例示
的な実施形態が、図８ｂに示されている。
【００５７】
図９は、本発明の第８の実施形態による分量カプセル１の断面図を示している。第８の
実施形態は、図１に示されている第１の実施形態に実質的に類似しているが、第８の実施
形態の分量カプセル１は、カプセル基部３に恒久的な出口開口１０７を備えている。前記
出口開口は、開始状態では、フィルムまたは箔１０８によって封止されている。従って、
分量カプセル１は、所定の破断点を有していない。この場合、フィルムまたは箔１０８は
、同様に、手でフィルムまたは箔を引き剥がすための引剥しタブ１０９を有している。カ
プセル基部３は、外部穿孔手段１６によって穿孔されるようになっていない。代わって、
分量カプセル１が煎出手段８内に挿入される前に、フィルムまたは箔１０８が、引剥しタ
ブ１０９によってカプセル基部３から簡単に引き剥がされ、次いで、カプセル基部３を穿
孔することなく、煎出プロセスをすぐに開始することができる。
【００５８】
図１０および図１１は、本発明のさらに他の実施形態を示している。この場合、フィル
ター要素７は、穿孔手段１６がカプセルを貫通したとき、該穿孔手段１６がフィルター要
素を引っ張り、開孔し（図１０）、および／または突き刺すように設計されている。すな
わち、フィルター要素は、例えば、少なくとも断面においてカプセルの基部に付着接続さ
れ、可能な限り基部の大面積にわたって配置されるように意図されており、および／また
は引っ張られるようになっている。
【００５９】
図１２ａ〜図１２ｃは、フェルト構造体７．１、特にニードルフェルト構造体を有する
フィルター要素７の種々の実施形態を示している。このフィルター要素７は、好ましくは
、支持構造７．２、例えば、織布構造を有している。フェルト構造体７．１は、コーヒー
粉末または紅茶の方を向いた全面にわたって、この織布構造７．２の上および／または内
に配置されており、例えば、図１２ａに示されているように、ニードルフェルト法によっ
て、前記織布構造に接続されている。
【００６０】
図１２ｂによる実施形態は、２つのフェルト構造体７．１および７．３を有しており、
これらのフェルト構造体は、各々、支持構造体の上および／または内に配置されている。
２つの構造体は、好ましくは、全断面にわたって、すなわち、この場合、フィルター要素
の全円面にわたって延在している。フェルト構造体７．１および７．３は、同じ厚みを有
していてもよいし、異なる厚みを有していてもよい。フェルト構造体７．１は、好ましく
は、層７．３よりも薄いとよく、またはその逆であってもよい。従って、支持層は、フィ
ルター要素の厚み方向から見て、中心に関して位置ずれしている。構造体７．１および７
．３は、互いに異なる材料から作製されていてもよいし、または同じ材料から作製されて
いてもよい。これらは、該構造体を作製する物質のみならず、フェルト構造体を作製する
ときの糸径およびまたは糸長さにも関連している。支持構造体７．２は、２つの構造体７
．１および７．３間に設けられている。前記支持構造は、フェルト構造体を含んでいない
か、またはわずかなフェルト構造体を含んでおり、好ましくは、横断流れを可能にするも
のである。
【００６１】
図１２ｃは、フェルト構造体を有するフィルター要素のさらに他の実施形態を示してい
る。この場合、フェルト構造体を有する２つのフィルター要素７は、例えば、図１２ａ，
１２ｂに関して述べたように、互いに積層されて配置されている。フィルター要素７は、
単に互いに積み重ねられていてもよいし、または互いに接続されていてもよい。しかし、
フィルター要素７は、支持構造体を設けることなく、フェルトのみから構成されていても
よい。
【００６２】
フェルト構造体を有するフィルター要素は、いずれも、低レベルの圧力損失を示し、フ
ィルター要素を横切る圧力降下の勾配が小さいという利点を有している。その結果、例え
ば、クレマ、すなわち、泡を生じないコーヒーまたは泡を生じない紅茶を生成することが
できる。フェルト構造体を有するフィルター要素は、好ましくは、カプセル内に単に挿入
されるようになっている。フェルト構造体を有するフィルター要素は、好ましくは、カプ
セルの基部よりも大きい直径を有しており、その結果、縁領域においてカプセルの壁に押
し付けられることになる。
【００６３】
フェルト構造体を有するフィルター要素は、好ましくは、ＰＥＴから、特にＰＥＴのみ
から作製されている。
【符号の説明】
【００６４】
１  分量カプセル
２  カプセル本体
３  カプセル基部
３ａ  カプセル基部の内側
３’  カプセル基部の縁領域
４  充填側
５  カラ―縁
６  カバーフィルムまたは箔
７  フィルター要素
７’  フィルター要素の縁領域
７’’  フィルター要素の中心領域
７．１  フェルト構造体、ニードルフェルト構造体
７．２  支持構造体
７．３  フェルト構造体、ニードルフェルト構造体
８  煎出チャンバ
９  第１の煎出チャンバ要素
１０  第２の煎出チャンバ要素
１１  シール
１２  閉鎖ピストン
１３ａ  突刺要素
１３ｂ  突刺要素
１４  調製液体供給手段
１５  煎出ベル
１６  開口マンドレル
１７  放出溝
１８  放出手段
１９  穿孔スパイク
２０  凹部
２１  突起
２２  調製液体流れ
２３  煎出ベル基部
１００  空洞
１０１  飲料の元
１０２  側壁領域
１０３  材料貯留部
１０３’  波形または折畳み領域
１０４  所定の破断点
１０５  脆弱線
１０６  中心点
１０７  出口開口
１０８  フィルムまたは箔
１０９  引剥しタブ
【図１】
2019030707.tif 000003
【図２】
2019030707.tif 000004
【図３】
2019030707.tif 000005
【図４ａ．４ｂ】
2019030707.tif 000006
【図５ａ．５ｂ】
2019030707.tif 000007
【図６ａ．６ｂ】
2019030707.tif 000008
【図７ａ．７ｂ】
2019030707.tif 000009
【図８ａ．８ｂ】
2019030707.tif 000010
【図９】
2019030707.tif 000011
【図１０】
2019030707.tif 000012
【図１１】
2019030707.tif 000013
【図１２】
2019030707.tif 000014